(57)【要約】【課題】比較的セキュリティの高いセキュリティロックの設定作業や解除を容易な操作で行うことができる携帯端末装置を提供する。【解決手段】入力操作判定部は、セキュリティロック解除に利用する入力情報の入力を受け付け、当該入力情報の入力時にセキュリティロック設定時であることを検出した場合にはセンサ測定値登録要求を出力する。センサ測定値取得部は、センサ測定値登録要求の入力に基づいて、センサが検出した物理量の測定値であるセンサ測定値を記憶部に記録する。【選択図】図１
2015015678.tif 000002
【特許請求の範囲】
【請求項１】
セキュリティロック解除に利用する入力情報の入力を受け付け、当該入力情報の入力時にセキュリティロック設定時であることを検出した場合にはセンサ測定値登録要求を出力する入力操作判定部と、
前記センサ測定値登録要求の入力に基づいて、センサが検出した物理量の測定値であるセンサ測定値を記憶部に記録するセンサ測定値取得部と、
を備えることを特徴とする携帯端末装置。
【請求項２】
前記入力操作判定部は、
前記入力情報の入力時に前記セキュリティロック解除時であることを検出した場合にはセンサ測定値取得要求とセキュリティロック解除判定要求とを出力し、
センサ測定値取得部は、
前記センサ測定値取得要求に基づいて、センサが検出した物理量の測定値を取得して出力し、
前記セキュリティロック設定時において入力した入力情報および前記記憶部に記録したセンサ測定値の組み合わせと、前記セキュリティロック解除時において入力した入力情報および前記セキュリティロック解除判定要求に基づいてセンサが検出したセンサ測定値の組み合わせとに基づいて、セキュリティロック解除可否を判定するセキュリティロック解除可否判定部と、
を備えることを特徴とする請求項１に記載の携帯端末装置。
【請求項３】
前記セキュリティロック解除可否判定部は、
前記セキュリティロック設定時において入力した入力情報と前記セキュリティロック解除時において入力した入力情報との類似度を判定する操作類似度判定部と、
前記セキュリティロック設定時において前記センサが検出したセンサ測定値と前記セキュリティロック解除時において前記センサが検出したセンサ測定値との類似度を判定する測定値類似度判定部と、
を備えることを特徴とする請求項２に記載の携帯端末装置。
【請求項４】
前記センサは複数の異なるセンサである
ことを特徴とする請求項１から請求項３の何れか一項に記載の携帯端末装置。
【請求項５】
セキュリティロック解除に利用する入力情報の入力を受け付け、当該入力情報の入力時にセキュリティロック設定時であることを検出した場合にはセンサ測定値登録要求を出力し、
前記センサ測定値登録要求の入力に基づいて、センサが検出した物理量の測定値であるセンサ測定値を記憶部に記録する、
ことを特徴とするセキュリティロック設定方法。
【請求項６】
携帯端末装置のコンピュータを、
セキュリティロック解除に利用する入力情報の入力を受け付け、当該入力情報の入力時にセキュリティロック設定時であることを検出した場合にはセンサ測定値登録要求を出力する入力操作判定手段、
前記センサ測定値登録要求の入力に基づいて、センサが検出した物理量の測定値であるセンサ測定値を記憶部に記録するセンサ測定値取得手段、
として機能させることを特徴とするプログラム。
【発明の詳細な説明】
【技術分野】
【０００１】
本発明は、セキュリティの設定を行う携帯端末装置、セキュリティロック解除方法及びプログラムに関する。
【背景技術】
【０００２】
スマートフォンなどの携帯端末装置においてセキュリティロックを設定または解除する際に、ユーザはその設定や解除に必要な所定の操作を行う必要がある。
特許文献１と特許文献２には、装置のセキュリティに関する技術が記載されている。
【先行技術文献】
【特許文献】
【０００３】
【特許文献１】特開２００１−５３８７０号公報
【特許文献２】国際公開第２００７／１１９８１８号
【発明の概要】
【発明が解決しようとする課題】
【０００４】
この特許文献１に記載されている技術は、ダイヤルロック機能を解除するための技術である。
また、特許文献２に記載されている技術は、顔認証手段と、ユーザ操作のパターンとに基づいて、情報処理端末の機能をロックしたロック状態を解除する技術である。この特許文献２に記載されている技術を用いるためには、事前にカメラで顔を撮影する操作が必要となり手間がかかる。また、ロック解除時にも同様の手間がかかる。
ところで、携帯端末装置におけるセキュリティに関する技術として、比較的セキュリティの高いセキュリティロックの設定作業や解除を容易な操作で行うことが望ましい。
【０００５】
そこでこの発明は、上記の課題を解決することのできる携帯端末装置、セキュリティロック解除方法及びプログラムを提供することを目的としている。
【課題を解決するための手段】
【０００６】
上記目的を達成するために、本発明は、セキュリティロック解除に利用する入力情報の入力を受け付け、当該入力情報の入力時にセキュリティロック設定時であることを検出した場合にはセンサ測定値登録要求を出力する入力操作判定部と、前記センサ測定値登録要求の入力に基づいて、センサが検出した物理量の測定値であるセンサ測定値を記憶部に記録するセンサ測定値取得部と、を備えることを特徴とする携帯端末装置である。
【０００７】
また本発明は、セキュリティロック解除に利用する入力情報の入力を受け付け、当該入力情報の入力時にセキュリティロック設定時であることを検出した場合にはセンサ測定値登録要求を出力し、前記センサ測定値登録要求の入力に基づいて、センサが検出した物理量の測定値であるセンサ測定値を記憶部に記録する、ことを特徴とするセキュリティロック設定方法である。
【０００８】
また本発明は、携帯端末装置のコンピュータを、セキュリティロック解除に利用する入力情報の入力を受け付け、当該入力情報の入力時にセキュリティロック設定時であることを検出した場合にはセンサ測定値登録要求を出力する入力操作判定手段、前記センサ測定値登録要求の入力に基づいて、センサが検出した物理量の測定値であるセンサ測定値を記憶部に記録するセンサ測定値取得手段、として機能させることを特徴とするプログラムである。
【発明の効果】
【０００９】
本発明によれば、比較的セキュリティの高いセキュリティロックの設定作業や解除を容易な操作で行うことができる。
【図面の簡単な説明】
【００１０】
【図１】本発明の携帯端末装置１０の最小構成を示す機能ブロック図である。
【図２】本発明の第一の実施形態による携帯端末装置１０の構成を示す機能ブロック図である。
【図３】本発明の第一の実施形態による携帯端末装置１０に対するセキュリティロック設定時のユーザ操作例を示す図である。
【図４】本発明の第一の実施形態による携帯端末装置１０の処理フローの例を示す図である。
【図５】本発明の第一の実施形態による携帯端末装置１０の処理フローの例を示す図である。
【図６】本発明の第二の実施形態による携帯端末装置１０の構成を示す機能ブロック図である。
【図７】、本発明の第二の実施形態による携帯端末装置１０の外観を示す図である。
【図８】本発明の第二の実施形態による携帯端末装置１０に対するセキュリティロック設定時およびセキュリティロック解除時のユーザ操作メニュー例を示す図である。
【発明を実施するための形態】
【００１１】
図１は、本発明の携帯端末装置１０の最小構成を示す機能ブロック図である。
本発明の携帯端末装置１０は、図１で示すように、少なくとも入力操作判定部１０１と、センサ測定値取得部１０２と、の機能部を備える。
【００１２】
ここで、入力操作判定部１０１は、セキュリティロック解除に利用する入力情報のユーザ操作による入力を受け付ける機能部である。また、入力操作判定部１０１は、セキュリティロック解除に利用する入力情報の入力時にセキュリティロック設定時であることを検出した場合にはセンサ測定値登録要求をセンサ測定値取得部１０２に出力する機能部である。
また、センサ測定値取得部１０２は、センサ測定値登録要求の入力に基づいて、センサが検出した物理量の測定値であるセンサ測定値を記憶部に記録する機能部である。
【００１３】
なお、入力操作判定部１０１と、センサ測定値取得部１０２と、の機能部は、例えば携帯端末装置１０の制御部（例えばＣＰＵ、Ｃｅｎｔｒａｌ  Ｐｒｏｃｃｅｓｓｉｎｇ  Ｕｎｉｔ）が制御プログラムを実行することにより、携帯端末装置１０に構成される。
【００１４】
＜第一の実施形態＞
図２は、本発明の第一の実施形態による携帯端末装置１０の構成を示す機能ブロック図である。
第一の実施形態による携帯端末装置１０は、制御部１００と、タッチパネル１０６と、無線通信部１０７と、表示部１０８と、記憶部１０９と、近接センサ１１０と、を備えている。
なお、携帯端末装置１０の制御部１００は、入力操作判定部１０１と、センサ測定値取得部１０２と、操作類似度判定部１０３と、測定値類似度判定部１０４と、セキュリティロック解除可否判定部１０５と、を備えている。
【００１５】
ここで、制御部１００の入力操作判定部１０１は、セキュリティロック解除に利用する入力情報のユーザ操作による入力を受け付ける機能部である。また、入力操作判定部１０１は、セキュリティロック解除に利用する入力情報の入力時にセキュリティロック設定時であることを検出した場合にはセンサ測定値登録要求をセンサ測定値取得部１０２に出力する機能部である。また、入力操作判定部１０１は、セキュリティロック解除に利用する入力情報の入力時にセキュリティロック解除時であることを検出した場合にはセンサ測定値取得要求をセンサ測定値取得部１０２に出力し、セキュリティロック解除判定要求を操作類似度判定部１０３に出力する機能部である。
【００１６】
制御部１００のセンサ測定値取得部１０２は、入力操作判定部１０１からのセンサ測定値登録要求の入力に基づいて、センサが検出した物理量の測定値であるセンサ測定値を記憶部１０９に記録する機能部である。また、センサ測定値取得部１０２は、入力操作判定部１０１からのセンサ測定値取得要求の入力に基づいて、センサが検出した物理量の測定値であるセンサ測定値を測定値類似度判定部１０４に出力する機能部である。
【００１７】
制御部１００の操作類似度判定部１０３は、入力操作判定部１０１からのセキュリティロック解除判定要求の入力に基づいて、セキュリティロック設定時に入力したセキュリティロック解除に利用する入力情報と、セキュリティロック解除時に入力したセキュリティロック解除に利用する入力情報と、の類似度を算出する機能部である。また、操作類似度判定部１０３は、算出した類似度に基づいて、セキュリティロックを解除してよいか否かを判定する機能部である。そして、操作類似度判定部１０３は、その判定結果をセキュリティロック解除可否判定部１０５に出力する機能部である。
【００１８】
制御部１００の測定値類似度判定部１０４は、センサ測定値取得部１０２からのセンサ測定値と、その入力に応じて記憶部１０９から読み出したセキュリティロック設定時のセンサ測定値と、の類似度を算出する機能部である。また、測定値類似度判定部１０４は、算出した類似度に基づいて、セキュリティロックを解除してよいか否かを判定する機能部である。そして、測定値類似度判定部１０４は、その判定結果をセキュリティロック解除可否判定部１０５に出力する機能部である。
【００１９】
制御部１００のセキュリティロック解除可否判定部１０５は、操作類似度判定部１０３から入力したセキュリティロックを解除してよいか否かの判定結果と、測定値類似度判定部１０４から入力したセキュリティロックを解除してよいか否かの判定結果と、に基づいてセキュリティロック解除可否を判定する機能部である。また、セキュリティロック解除可否判定部１０５は、セキュリティロック解除可能と判定した場合、セキュリティロックを解除する機能部である。
【００２０】
また、タッチパネル１０６は、ユーザ操作に基づいて、携帯端末装置１０の操作に必要な種々の信号を入力する機能部である。
無線通信部１０７は、携帯端末装置１０が外部装置との間で情報を授受するのに必要な通信を行う機能部である。
表示部１０８は、液晶ディスプレイ、有機ＥＬ（Ｅｌｅｃｔｒｏ−Ｌｕｍｉｎｅｓｃｅｎｃｅ）ディスプレイなどであり、ユーザに対して各種情報を報知するためにそれらの各種情報を表示する表示部である。
記憶部１０９は、携帯端末装置１０が動作するために必要なプログラム、ユーザデータ、暗証番号、暗証パターンなどを含む種々のデータを記憶する記憶部である。
近接センサ１１０は、身体や物体の接近を検出するセンサである。
【００２１】
なお、携帯端末装置１０がスマートフォンのような携帯端末装置である場合、スピーカの近くに近接センサが配置されている場合がある。その近接センサは、電話の着信直後に近接センサに近づいた身体や物体を通話のために近づいた耳周辺部であると判定する。そして、携帯端末装置１０の制御部１００は、近接センサが耳周辺部を検出し続けている間は通話中であると判定して画面をロックするなどユーザによる誤操作を防止している。近接センサ１１０としてこの近接センサを利用してもよい。
【００２２】
図３は、本発明の第一の実施形態による携帯端末装置１０に対するセキュリティロック設定時のユーザ操作例を示す図である。
例えば、ユーザがセキュリティロック設定／解除専用のアプリケーションプログラムのアイコンをタップすると、制御部１００は、表示部１０８に図３で示すような認証パターンを入力するための画面を表示する。また、これと同時に近接センサ１１０が測定可能な状態となる。
【００２３】
ここで、ユーザは、この１〜９までの数字を指などでなぞることで、携帯端末装置１０に認証パターンを入力することができる。例えば、図３の矢印で示すように、ユーザが１、２、３、６、９、８、７の順番にタッチパネル１０６を指でなぞることで、携帯端末装置１０に対して認証パターンを入力することができる。このとき携帯端末装置１０の記憶部１０９は、ユーザの入力した認証パターンを記憶する。
【００２４】
また、ユーザは、認証パターン入力の最中に近接センサ１１０に対して所定の操作を行う。
例えば、ユーザは、近接センサ１１０に対して左手の人差し指を近づける動作を行う。そしてユーザが人差し指を近づけた状態で、タッチパネル１０６に対して認証パターン入力を行う。すると、センサ測定値取得部１０２は、その認証パターン入力時の近接センサ１１０の測定値を取得する。
【００２５】
ここで、近接センサ１１０が静電容量型の近接センサであったとする。その場合、近接センサ１１０は、ユーザの人差し指の大きさとユーザの他の指の位置などの周辺の状況に応じて静電容量が変化し、そのユーザを特徴づけるセンサ測定値、例えば電圧を出力する。
【００２６】
図４と図５は、本発明の第一の実施形態による携帯端末装置１０の処理フローの例を示す図である。
この図４は、携帯端末装置１０のセキュリティロック設定時の処理フローである。また、図５は、携帯端末装置１０のセキュリティロック解除時の処理フローである。
ここでは、セキュリティロック設定／解除専用のアプリケーションプログラムにより、携帯端末装置１０の表示部１０８が表示するＧＵＩ（Ｇｒａｐｈｉｃａｌ  Ｕｓｅｒ  Ｉｎｔｅｒｆａｃｅ）を介して、ユーザが操作する場合を例に第一の実施形態による携帯端末装置１０の処理フローを説明する。
【００２７】
まず、図４で示す第一の実施形態による携帯端末装置１０のセキュリティロック設定時の処理フローについて説明する。
ユーザは、会議などの所用により離席しなければならない場合がある。そして、その会議を行う会議室への携帯端末装置１０の持ち込みが禁止されている場合がある。そのような場合、ユーザは、携帯端末装置１０にセキュリティロックを設定して離席する。
【００２８】
ユーザは、セキュリティロック設定を行うために、まずセキュリティロック設定／解除専用のアプリケーションプログラムを起動するユーザ操作を行う。このユーザ操作は、例えばセキュリティロック設定／解除専用のアプリケーションプログラムとリンクした、携帯端末装置１０の表示部１０８が表示するアイコンをタップする操作である。
【００２９】
ユーザが表示部１０８の表示するアイコンをタップすると、携帯端末装置１０の制御部１００は、記憶部１０９からセキュリティロック設定／解除専用のアプリケーションプログラムを読み出す。そして制御部１００は、その読み出したセキュリティロック設定／解除専用のアプリケーションプログラムを起動する。このアプリケーションプログラムの起動により携帯端末装置１０のセキュリティロック設定の処理が開始する。
【００３０】
携帯端末装置１０の制御部１００は、セキュリティロック設定／解除専用のアプリケーションプログラムを起動すると、そのプログラムに基づいて表示部１０８にセキュリティロック設定のためのＧＵＩを表示する。ここで表示部１０８が表示するＧＵＩは、例えば図３で示したような、認証パターンを入力するためのＧＵＩである。
また、このとき、近接センサ１１０は近接する身体や物体の検出を開始する。
【００３１】
ここでユーザは、近接センサ１１０に身体を近づけながら、表示部１０８の表示する０〜９の数字を任意の順番に指でなぞって認証パターンを入力する。このとき、タッチパネル１０６は、ユーザが数字の順番をなぞった指の位置を検出している（ステップＳ２）。
入力操作判定部１０１は、タッチパネル１０６の検出しているユーザの指の位置データを入力する。そして、入力操作判定部１０１は、その入力したユーザの指の位置データを記憶部１０９に記録する（ステップＳ３）。
このとき、入力操作判定部１０１は、起動中のアプリケーションプログラムに基づいて、現在はセキュリティロック解除時であると判定する。そのため、入力操作判定部１０１は、タッチパネル１０６の検出しているユーザの指の位置データを入力すると、センサ測定値登録要求をセンサ測定値取得部１０２に出力する。
【００３２】
センサ測定値取得部１０２は、入力操作判定部１０１からセンサ測定値登録要求を入力すると、そのセンサ測定値登録要求を入力したタイミングで近接センサ１１０が検出しているセンサ測定値を取得する（ステップＳ４）。そして、センサ測定値取得部１０２は、取得したセンサ測定値を記憶部１０９に記録する（ステップＳ５）。
そして、セキュリティロック設定の処理を終了する。
【００３３】
上述の携帯端末装置１０の処理によれば、セキュリティロック設定時に認証パターン設定と同時に近接センサでユーザの特徴を検出することで携帯端末装置１０のセキュリティロック解除に必要な項目２つを容易な操作で同時に設定することができる。
【００３４】
次に、図５で示す第一の実施形態による携帯端末装置１０のセキュリティロック解除時の処理フローについて説明する。
セキュリティロックの解除は、セキュリティロック設定時に設定した認証パターンとセンサ測定値とをセキュリティロック解除時に再現することで行われる。
【００３５】
ユーザは、携帯端末装置１０のセキュリティロック状態において、セキュリティロックの解除を行うために、携帯端末装置１０のタッチパネル１０６をタップする。このユーザが行うタッチパネル１０６へのタップにより、セキュリティロック解除の処理が開始する。そして、タッチパネル１０６は、タップを検出したことを報知するデータを制御部１００に出力する。
【００３６】
制御部１００は、タッチパネル１０６からタップを検出したことを知らせるデータを入力すると、セキュリティロック解除のためのＧＵＩを表示部１０８に表示する（ステップＳ１１）。ここで、制御部１００が表示部１０８に表示するＧＵＩは、セキュリティロック設定時と同一のＧＵＩである。
【００３７】
ユーザは、ＧＵＩに対してセキュリティロック設定時と同様の動作を行う。ここでユーザは、近接センサ１１０に身体を近づけながら、表示部１０８の表示する０〜９の数字を任意の順番に指でなぞって認証パターンを入力する。このとき、タッチパネル１０６は、ユーザが数字の順番をなぞった指の位置を検出している（ステップＳ１２）。
入力操作判定部１０１は、タッチパネル１０６の検出しているユーザの指の位置データを入力する。
このとき、入力操作判定部１０１は、起動中のアプリケーションプログラムに基づいて、現在はセキュリティロック解除時であると判定する。そのため、入力操作判定部１０１は、タッチパネル１０６の検出しているユーザの指の位置データを入力すると、ユーザの指の位置データと共にセキュリティロック解除判定要求を操作類似度判定部１０３に出力する。また、入力操作判定部１０１は、センサ測定値取得要求をセンサ測定値取得部１０２に出力する（ステップＳ１３）。
【００３８】
操作類似度判定部１０３は、入力操作判定部１０１からセキュリティロック解除判定要求を入力すると、記憶部１０９からセキュリティロック設定時に記録したユーザの指の位置データを読み出す（ステップＳ１４）。
操作類似度判定部１０３は、セキュリティロック設定時の指の位置データと、入力操作判定部１０１からセキュリティロック解除判定要求と共に入力したセキュリティロック解除時の指の位置データと、を比較し類似度を判定する。ここで操作類似度判定部１０３が行う判定は、例えば両方の指の位置のデータを用いた最小二乗法を基づく判定である。
【００３９】
操作類似度判定部１０３は、両方の指の位置のデータを用いて計算した結果が所定の値の範囲内になければセキュリティロック設定時の指の位置のデータと、セキュリティロック解除時の指の位置のデータとは一致しないと判定する（ステップＳ１５、ＮＯ）。そして、ステップＳ１２の処理へ戻る。
【００４０】
また、操作類似度判定部１０３は、両方の指の位置のデータを用いて計算した結果が所定の値の範囲内であればセキュリティロック設定時の指の位置のデータと、セキュリティロック解除時の指の位置のデータとが一致する、すなわち、セキュリティロック設定時のユーザとセキュリティロック解除時のユーザが一致すると判定する（ステップＳ１５、ＹＥＳ）。そして、操作類似度判定部１０３は、その一致した判定結果をセキュリティロック解除可否判定部１０５に出力する。
【００４１】
また、センサ測定値取得部１０２は、ステップＳ１３の処理において入力操作判定部１０１からセンサ測定値取得要求を入力すると、そのセンサ測定値取得要求を入力したタイミングで近接センサ１１０が検出しているセンサ測定値を取得する（ステップＳ１６）。そして、センサ測定値取得部１０２は、取得したセンサ測定値を測定値類似度判定部１０４に出力する。
【００４２】
測定値類似度判定部１０４は、センサ測定値取得部１０２からセンサ測定値を入力すると、記憶部１０９からセキュリティロック設定時に記録したセンサ測定値を読み出す（ステップＳ１７）。
測定値類似度判定部１０４は、セキュリティロック設定時のセンサ測定値と、センサ測定値取得部１０２から入力したセキュリティロック解除時のセンサ測定値と、を比較し類似度を判定する。ここで測定値類似度判定部１０４が行う判定は、例えば両方のセンサ測定値を用いた最小二乗法を基づく判定である。
【００４３】
測定値類似度判定部１０４は、両方のセンサ測定値を用いて計算した結果が所定の値の範囲内になければセキュリティロック設定時のセンサ測定値と、セキュリティロック解除時のセンサ測定値とは一致しないと判定する（ステップＳ１８、ＮＯ）。そして、ステップＳ１２の処理へ戻る。
【００４４】
また、測定値類似度判定部１０４は、両方のセンサ測定値を用いて計算した結果が所定の値の範囲内であればセキュリティロック設定時のセンサ測定値と、セキュリティロック解除時のセンサ測定値とが一致する、すなわち、セキュリティロック設定時のユーザとセキュリティロック解除時のユーザが一致すると判定する（ステップＳ１８、ＹＥＳ）。そして、測定値類似度判定部１０４は、その一致した判定結果をセキュリティロック解除可否判定部１０５に出力する。
【００４５】
セキュリティロック解除可否判定部１０５は、操作類似度判定部１０３がセキュリティロック設定時の指の位置のデータとセキュリティロック解除時の指の位置のデータが一致すると判定する判定結果と、測定値類似度判定部１０４がセキュリティロック設定時のセンサ測定値とセキュリティロック解除時のセンサ測定値が一致すると判定する判定結果と、を入力するとセキュリティロックを解除する（ステップＳ１９）。
そして、セキュリティロック解除の処理を終了する。
【００４６】
上述の携帯端末装置１０の処理によれば、セキュリティロック解除時にセキュリティロック設定時同様の容易な操作で、認証パターンと近接センサを用いたユーザ判定を同時に行うことができる。
【００４７】
なお、ここで示した処理の順序に限定するものではなく、適切な処理が行われる範囲においては順序を入れ替えてもよい。また、本発明の第一の実施形態による携帯端末装置１０の処理フローにおいて、センサ測定値の取得タイミングは一例であり、ここで示したタイミングに限定するものではない。
【００４８】
以上、本発明の第一の実施形態による携帯端末装置１０の処理フローについて説明した。上述の携帯端末装置１０の処理によれば、セキュリティロック設定時に認証パターン設定と同時に近接センサでユーザの特徴を検出することで携帯端末装置１０のセキュリティロック解除に必要な項目２つを容易な操作で同時に設定することができる。また、セキュリティロック解除時にセキュリティロック設定時同様の容易な操作で、認証パターンと近接センサを用いたユーザ判定を同時に行うことができる。
【００４９】
＜第二の実施形態＞
図６は、本発明の第二の実施形態による携帯端末装置１０の構成を示す機能ブロック図である。
第二の実施形態による携帯端末装置１０は、第一の実施形態による携帯端末装置１０の備える機能部に加え、照度センサ１１１と、温度センサ１１２と、加速度センサ１１３と、ジャイロセンサ１１４と、磁気センサ１１５と、を備えている。
【００５０】
図７は、本発明の第二の実施形態による携帯端末装置１０の外観を示す図である。
図７の表面を示す図のように、第二の実施形態による携帯端末装置１０において、タッチパネル１０６と表示部１０８とは、重なり合って配置される。
近接センサ１１０は、指などの身体を近づけやすい位置、例えば本体左上部に配置される。また、照度センサ１１１や温度センサ１１２は、その近接センサ１１０の近辺に配置される。このように近接センサ１１０と、照度センサ１１１と、温度センサ１１２とが配置された場合、例えば、近接センサ１１０が人差し指を所定の位置で検出することで、照度センサ１１１や温度センサ１１２と人差し指との位置関係がほぼ一定となる。
したがって、このとき照度センサ１１１や温度センサ１１２の検出するセンサ測定値は、ユーザの体温や人差し指の形状に依存するユーザ固有の値となる。そのため、この照度センサ１１１や温度センサ１１２のセンサ測定値に基づいてセキュリティロック解除時のユーザを判定することができる。
【００５１】
また、第二の実施形態による携帯端末装置１０において、加速度センサ１１３と、ジャイロセンサ１１４と、磁気センサ１１５とが図７の裏面を示す図のように、携帯端末装置１０の内部に配置されている。これらのセンサは、携帯端末装置１０の姿勢を特定するために使用される。
加速度センサ１１３は、例えば３軸加速度センサである。そして、ユーザが携帯端末装置１０を任意の方向に動かしたときに、例えば互いに直交する携帯端末装置１０に対して左右方向の軸と、上下方向の軸と、前後方向の軸との３軸方向の加速度を検出する。
【００５２】
ジャイロセンサ１１４は、例えば３軸ジャイロセンサである。そして、ユーザが携帯端末装置１０を任意の方向に動かしたときに、例えば互いに直交する携帯端末装置１０に対して左右方向の軸と、上下方向の軸と、前後方向の軸との３軸を中心とする回転の速度を検出する。
磁気センサ１１５は、例えば３つのホール素子を用いた３軸磁気センサである。そして、例えば互いに直交する携帯端末装置１０に対して左右方向の軸と、上下方向の軸と、前後方向の軸との３軸方向の磁気を検出する。ここで、磁気センサ１１５が検出する主な磁気は地磁気である。そして、磁気センサ１１５が検出した磁気は、方位を求めるために使用される。
なお、携帯端末装置１０は、ここで説明したすべてのセンサを備えなくてもよく、複数のセンサを備えていればよい。
【００５３】
図８は、本発明の第二の実施形態による携帯端末装置１０に対するセキュリティロック設定時およびセキュリティロック解除時のユーザ操作メニュー例を示す図である。
ユーザは、第二の実施形態による携帯端末装置１０に対するセキュリティロック設定時に、図８で示すような、操作内容と使用センサに関する項目を含むユーザ操作メニューから任意の項目を選択する。
【００５４】
例えば、ユーザが、携帯端末装置１０のタッチパネル１０６において、操作内容の項目の１つである「認証パターン」の表示に相当する箇所を指などでタッチする。すると、携帯端末装置１０の表示部１０８は、「認証パターン」と表示された項目が選択されたことを示す印（図８では黒く塗りつぶされた四角）を表示する。
また、例えば、ユーザが、携帯端末装置１０のタッチパネル１０６において、使用センサの項目の１つである「近接センサ」の表示に相当する箇所を指などでタッチする。すると、携帯端末装置１０の表示部１０８は、「近接センサ」と表示された項目が選択されたことを示す印を表示する。
そして、ユーザが「決定」と表示された部分をタッチすると、携帯端末装置１０では、選択した項目について測定できるように各機能部が設定される。
【００５５】
なお、ユーザが操作内容や使用センサとして複数の項目を設定したい場合、設定したい項目すべてをタップすればよい。
例えば、ユーザが認証パターンとして認証パターンと暗証番号の両方を設定し、使用センサとして近接センサとジャイロセンサと照度センサを設定したい場合、ユーザは、表示部１０８の「認証パターン」と表示された箇所と、「暗証番号」と表示された箇所と、「近接センサ」と表示された箇所と、「ジャイロセンサ」と表示された箇所と、「照度センサ」と表示された箇所を指でタップすればよい。
【００５６】
本発明の第二の実施形態による携帯端末装置１０の処理フローは、第一の実施形態の処理フローにおいて、近接センサ１１０を、照度センサ１１１、温度センサ１１２、加速度センサ１１３、ジャイロセンサ１１４、磁気センサ１１５と置き換えて考えればよい。
また、本発明の第二の実施形態による携帯端末装置１０の処理フローは、第一の実施形態の処理フローにおいて、セキュリティロック設定時の入力情報を認証パターンの代わりに暗証番号に置き換えて考えればよい。そして、複数のセンサを使用した場合のそれぞれの組み合わせを考えればよい。
そのため、第二の実施形態による携帯端末装置１０の処理フローは省略する。
ただし、セキュリティロック解除は、セキュリティロック設定時とセキュリティロック解除時のすべてのセンサに対するセンサ測定値が一致すると判定される必要がある。
【００５７】
なお、本発明の第二の実施形態による携帯端末装置１０において、センサは、近接センサ１１０、照度センサ１１１、温度センサ１１２、加速度センサ１１３、ジャイロセンサ１１４、磁気センサ１１５として説明したが、これらのセンサに限定するものではない。
ユーザの身体的特徴や携帯端末装置１０の姿勢などの特徴を検出できるセンサであり、ユーザを識別できればよい。
【００５８】
以上、本発明の第二の実施形態による携帯端末装置１０について説明した。上述の携帯端末装置１０の処理によれば、複数のセンサを組み合わせることができる。また、ユーザの身体的特徴に加え、ジャイロセンサなどのセンサにより携帯端末装置１０の姿勢の特徴をセキュリティロック解除のための項目として利用することができる。そうすることで、ユーザは、比較的セキュリティの高いセキュリティロックの設定解除情報の登録を容易な操作で行うことができる。
【００５９】
なお本発明の実施形態について説明したが、上述の携帯端末装置１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６１】
１０・・・携帯端末装置
１０１・・・入力操作判定部
１０２・・・センサ測定値取得部
１０３・・・操作類似度判定部
１０４・・・測定値類似度判定部
１０５・・・セキュリティロック解除可否判定部
１０６・・・タッチパネル
１０７・・・無線通信部
１０８・・・表示部
１０９・・・記憶部
１１０・・・近接センサ
１１１・・・照度センサ
１１２・・・温度センサ
１１３・・・加速度センサ
１１４・・・ジャイロセンサ
１１５・・・磁気センサ
【図１】
2015015678.tif 000003
【図２】
2015015678.tif 000004
【図３】
2015015678.tif 000005
【図４】
2015015678.tif 000006
【図５】
2015015678.tif 000007
【図６】
2015015678.tif 000008
【図７】
2015015678.tif 000009
【図８】
2015015678.tif 000010